(57)【特許請求の範囲】
【請求項１】
車軸に取り付けられる取り付け体と、
該取り付け体をタイヤ径方向の外側から囲繞するリング状体と、
前記取り付け体と前記リング状体との間にタイヤ周方向に沿って複数配設されるとともに、これらの取り付け体とリング状体とを相対的に弾性変位自在に連結する連結部材と、
前記リング状体の外周面側にその全周にわたって配設されたトレッド部材と、を備える非空気入りタイヤであって、
前記トレッド部材の外周面には、表面が外部に露出する被視認体が配設され、
前記被視認体の表面は、前記トレッド部材の外周面よりも反射輝度が高く、
前記被視認体は、前記トレッド部材の外周面に形成された溝部を画成する壁面に配設されるとともに、前記溝部を画成する壁面に形成された配置凹部内に配置されていることを特徴とする非空気入りタイヤ。
【請求項２】
請求項１記載の非空気入りタイヤであって、
前記被視認体は、前記溝部を画成する壁面のうち、タイヤ径方向の外側を向く底壁面に配設されていることを特徴とする非空気入りタイヤ。
【請求項３】
請求項１または２に記載の非空気入りタイヤであって、
前記被視認体は、前記表面と反対の裏面が、前記配置凹部を画成する壁面のうち、該配置凹部の開口方向を向く底面に固着されるシート状に形成され、
該被視認体は、前記開口方向から見た正面視において前記配置凹部と同形同大に形成されていることを特徴とする非空気入りタイヤ。
【請求項４】
請求項１から３のいずれか１項に記載の非空気入りタイヤであって、
前記被視認体は、前記トレッド部材の外周面にタイヤ周方向に複数配設され、
タイヤ周方向に隣り合う前記被視認体同士のうち、タイヤ周方向の周端部同士は、タイヤ幅方向に互いにずらされてタイヤ周方向に互いに重複していることを特徴とする非空気入りタイヤ。
【発明の詳細な説明】
【技術分野】
【０００１】
本発明は、使用に際し内部に加圧空気の充填が不要な非空気入りタイヤに関する。
【背景技術】
【０００２】
内部に加圧空気が充填されて用いられる従来の空気入りタイヤでは、パンクの発生は構造上不可避的な問題となっている。
このような問題を解決するために近年では、例えば下記特許文献１に示されるような、車軸に取り付けられる取り付け体と、該取り付け体をタイヤ径方向の外側から囲繞するリング状体と、取り付け体とリング状体との間にタイヤ周方向に沿って複数配設されるとともに、これらの取り付け体とリング状体とを相対的に弾性変位自在に連結する連結部材と、リング状体の外周面側にその全周にわたって配設されたトレッド部材と、を備える非空気入りタイヤが提案されている。
【先行技術文献】
【特許文献】
【０００３】
【特許文献１】特開２０１１−１５６９０５号公報
【発明の概要】
【発明が解決しようとする課題】
【０００４】
ところで、前記従来の非空気入りタイヤでは、例えば歩行者や他の車両の乗員など、周囲からの視認性を向上させることが望まれていた。
【０００５】
本発明は、前述した事情に鑑みてなされたものであって、その目的は、周囲からの視認性を向上させることができる非空気入りタイヤを提供することである。
【課題を解決するための手段】
【０００６】
前記課題を解決するために、本発明は以下の手段を提案している。
本発明に係る非空気入りタイヤは、車軸に取り付けられる取り付け体と、該取り付け体をタイヤ径方向の外側から囲繞するリング状体と、前記取り付け体と前記リング状体との間にタイヤ周方向に沿って複数配設されるとともに、これらの取り付け体とリング状体とを相対的に弾性変位自在に連結する連結部材と、前記リング状体の外周面側にその全周にわたって配設されたトレッド部材と、を備える非空気入りタイヤであって、前記トレッド部材の外周面には、表面が外部に露出する被視認体が配設され、前記被視認体の表面は、前記トレッド部材の外周面よりも反射輝度が高く、前記被視認体は、前記トレッド部材の外周面に形成された溝部を画成する壁面に配設されるとともに、前記溝部を画成する壁面に形成された配置凹部内に配置されていることを特徴とする。
【０００７】
この発明によれば、被視認体の表面が、トレッド部材の外周面よりも反射輝度が高いので、周囲からの視認性を向上させることができる。これにより、当該非空気入りタイヤが装着された車両の存在を周囲から認識させ易くすることが可能になり、例えば当該車両と、周囲の歩行者や他の車両と、の接触を効果的に防止して良好な安全性を確保し易くすること等ができる。
またトレッド部材が、リング状体の外周面側にその全周にわたって配設されているので、該トレッド部材に配設される被視認体の表面積を確保し易くすることが可能になり、視認性を向上させ易くすることができる。
さらに連結部材が、取り付け体とリング状体とを相対的に弾性変位自在に連結するとともに、トレッド部材が、リング状体の外周面側に配設されており、トレッド部材が、取り付け体とリング状体との相対的な弾性変位に追従して変位しながら変形することから、トレッド部材の変形量が抑えられることとなる。これにより、被視認体をトレッド部材から離脱させ難くすることが可能になり、視認性を確実に向上させることができる。
【０００９】
また、被視認体が、前記溝部を画成する壁面に配設されているので、走行時に被視認体を路面に接触させ難くすることが可能になり、被視認体をトレッド部材から一層離脱させ難くすることができる。
また、被視認体が、前記配置凹部内に配置されているので、被視認体を配設することを起因として前記溝部の容積が減少するのを抑えることが可能になり、例えば当該非空気入りタイヤの排水性を確保し易くすること等ができる。
【００１０】
また、前記被視認体は、前記溝部を画成する壁面のうち、タイヤ径方向の外側を向く底壁面に配設されていてもよい。
【００１１】
この場合、被視認体が、前記底壁面に配設されているので、被視認体を当該非空気入りタイヤの走行方向から視認させ易くすることが可能になり、周囲からの視認性を確実に向上させることができる。
ここで前記底壁面は、溝部を画成する壁面のうち、前記底壁面から立ち上がる側壁面に比べて、走行時に歪み変形し難いことから、前述のように、被視認体が前記底壁面に配設されることにより、該被視認体をトレッド部材からより一層離脱させ難くすることができる。
【００１４】
また、前記被視認体は、前記表面と反対の裏面が、前記配置凹部を画成する壁面のうち、該配置凹部の開口方向を向く底面に固着されるシート状に形成され、該被視認体は、前記開口方向から見た正面視において前記配置凹部と同形同大に形成されていてもよい。
【００１５】
この場合、被視認体が、前記正面視において配置凹部と同形同大に形成されているので、例えば、溝部内を水が流動するときに、被視認体がその外周縁から水圧を受けるのを抑え易くすること等が可能になり、被視認体をトレッド部材からより一層離脱させ難くすることができる。
【００１６】
また、前記被視認体は、前記トレッド部材の外周面にタイヤ周方向に複数配設され、タイヤ周方向に隣り合う前記被視認体同士のうち、タイヤ周方向の周端部同士は、タイヤ幅方向に互いにずらされてタイヤ周方向に互いに重複していてもよい。
【００１７】
この場合、タイヤ周方向に隣り合う被視認体同士のうち、タイヤ周方向の周端部同士が、タイヤ幅方向に互いにずらされてタイヤ周方向に互いに重複しているので、トレッド部材の外周面に被視認体をタイヤ周方向に連続的に配置することが可能になり、視認性を一層確実に向上させることができる。
また、被視認体が、トレッド部材の外周面にタイヤ周方向に複数配設されているので、複数の被視認体のうちの一部が離脱した場合であっても、他の被視認体により視認性を確保し易くすることが可能になり、例えばこれらの複数の被視認体と同等の範囲にわたって、１つの被視認体がタイヤ周方向に連続して配設されている場合に比べて、視認性を確保し易くすることができる。
【発明の効果】
【００１８】
本発明に係る非空気入りタイヤによれば、周囲からの視認性を向上させることができる。
【図面の簡単な説明】
【００１９】
【図１】本発明に係る一実施形態において、非空気入りタイヤの一部を分解した概略斜視図である。
【図２】図１に示す非空気入りタイヤをタイヤ幅方向の一方側から見たタイヤ側面図である。
【図３】図１に示す非空気入りタイヤにおける第１分割ケース体をタイヤ幅方向の一方側から見た平面図、または第２分割ケース体をタイヤ幅方向の他方側から見た平面図である。
【図４】図２の要部を示す拡大図である。
【図５】図１に示す非空気入りタイヤを構成するトレッド部材のタイヤ平面図である。
【図６】本発明に係る他の実施形態において、非空気入りタイヤを構成するトレッド部材のタイヤ平面図である。
【発明を実施するための形態】
【００２０】
以下、本発明に係る非空気入りタイヤの一実施形態を図１から図４を参照しながら説明する。なおこの非空気入りタイヤ１は、例えばＪＩＳ  Ｔ  ９２０８に規定されるハンドル形電動車いす等、低速度で走行する小型車両に採用してもよい。
この非空気入りタイヤ１は、図示されない車軸に取り付けられる取り付け体１１と、取り付け体１１をタイヤ径方向の外側から囲繞するリング状体１３と、取り付け体１１とリング状体１３との間にタイヤ周方向に沿って複数配設されるとともに、これらの取り付け体１１とリング状体１３とを相対的に弾性変位自在に連結する連結部材１５と、リング状体１３の外周面側にその全周にわたって配設されたトレッド部材１６と、を備えている。
【００２１】
ここで、取り付け体１１、リング状体１３、およびトレッド部材１６はそれぞれ、共通軸と同軸に配設されている。以下、この共通軸を軸線Ｏといい、この軸線Ｏに沿う方向をタイヤ幅方向Ｈといい、該軸線Ｏに直交する方向をタイヤ径方向といい、該軸線Ｏ回りに周回する方向をタイヤ周方向という。なお、取り付け体１１、リング状体１３、およびトレッド部材１６は、タイヤ幅方向Ｈの中央部が互いに一致させられて配設されている。
【００２２】
取り付け体１１は、図１および図２に示されるように、前記車軸の先端部が装着される装着筒部１７と、装着筒部１７をタイヤ径方向の外側から囲繞する外リング部１８と、装着筒部１７と外リング部１８とを連結する複数のリブ１９と、を備えている。
装着筒部１７、外リング部１８、およびリブ１９は例えばアルミニウム合金等の金属材料で一体に形成されている。装着筒部１７および外リング部１８はそれぞれ、円筒状に形成され前記軸線Ｏと同軸に配設されている。複数のリブ１９は、前記軸線Ｏを基準とする点対称に配置されている。
【００２３】
外リング部１８の外周面には、タイヤ径方向の内側に向けて窪み、かつタイヤ幅方向Ｈに延びるキー溝部１８ａがタイヤ周方向に間隔をあけて複数形成されている。キー溝部１８ａは、外リング部１８の外周面において、タイヤ幅方向Ｈの両端のうちの一方側にのみ開口し他方側は閉じている。
なお、外リング部１８において、タイヤ周方向で隣り合うキー溝部１８ａ同士の間に位置する部分には、タイヤ径方向に貫通する肉抜き孔がタイヤ幅方向Ｈに間隔をあけて複数配置されてなる孔列１８ｃが、タイヤ周方向に間隔をあけて複数形成されている。また、リブ１９にも、タイヤ幅方向Ｈに貫通する肉抜き孔１９ａが形成されている。
【００２４】
また、外リング部１８におけるタイヤ幅方向Ｈの一方側の端縁において、キー溝部１８ａと対応する位置に、タイヤ幅方向Ｈの他方側に向けて窪み、かつ板材２８が嵌め込まれる凹部１８ｂが形成されている。板材２８には貫通孔が形成されていて、凹部１８ｂを画成する壁面のうち、タイヤ幅方向Ｈの一方側を向く壁面に、該凹部１８ｂに嵌め込まれた板材２８の貫通孔に連通する雌ねじ部が形成されている。なお、これらの雌ねじ部および貫通孔はタイヤ周方向に間隔をあけて複数形成されている。
【００２５】
そして、取り付け体１１には、円筒状の外装体１２が外嵌されている。外装体１２の内周面には、タイヤ径方向の内側に向けて突出するとともにタイヤ幅方向Ｈの全長にわたって延びる突条部１２ａが、タイヤ周方向に間隔をあけて複数配設されており、これらの突条部１２ａは、取り付け体１１におけるキー溝部１８ａに各別に嵌合している。そして、外装体１２は、突条部１２ａがキー溝部１８ａに嵌合された状態で、凹部１８ｂに嵌め込んだ板材２８の貫通孔を通してボルトを雌ねじ部にねじ込むことにより、取り付け体１１に固定されている。この状態において、突条部１２ａは、板材２８と、凹部１８ｂを画成する壁面のうち、タイヤ幅方向Ｈの他端に位置して一方側を向く他端壁面と、によりタイヤ幅方向Ｈに挟み込まれている。
【００２６】
なお、キー溝部１８ａを画成する壁面のうち、タイヤ周方向で互いに対向する一対の側壁面と底壁面とは直角をなしている。また、突条部１２ａの外表面のうち、外装体１２の内周面から立ち上がる一対の側壁面と、タイヤ径方向の内側を向く頂壁面と、は直角をなしている。さらに、突条部１２ａおよびキー溝部１８ａのタイヤ周方向の大きさは互いに同等になっている。
また、リング状体１３は外装体１２よりもタイヤ幅方向Ｈの大きさ、つまり幅が大きくなっており、図示の例では、リング状体１３は円筒状に形成されている。
【００２７】
連結部材１５は、取り付け体１１の外周面側とリング状体１３の内周面側とを連結しており、図示の例では、連結部材１５は、外装体１２の外周面とリング状体１３の内周面とを互いに連結する第１弾性連結板２１および第２弾性連結板２２を備えている。
連結部材１５は、第１弾性連結板２１が一のタイヤ幅方向Ｈの位置にタイヤ周方向に沿って複数配置され、かつ第２弾性連結板２２が前記一のタイヤ幅方向Ｈの位置とは異なる他のタイヤ幅方向Ｈの位置にタイヤ周方向に沿って複数配置されるように、タイヤ周方向に沿って複数（図示の例では６０個）設けられている。
すなわち、複数の第１弾性連結板２１は、タイヤ幅方向Ｈにおける同一の位置にタイヤ周方向に沿って複数配置されるとともに、複数の第２弾性連結板２２は、第１弾性連結板２１からタイヤ幅方向Ｈに離れた同一のタイヤ幅方向Ｈの位置にタイヤ周方向に沿って複数配置されている。
【００２８】
なお、複数の連結部材１５は、外装体１２とリング状体１３との間において、前記軸線Ｏを基準に互いに点対称となる位置に各別に配置されている。また、全ての連結部材１５は互いに同形同大となっている。さらに、連結部材１５の幅はリング状体１３の幅より小さくなっている。
そして、タイヤ周方向で隣り合う第１弾性連結板２１同士は互いに非接触とされ、タイヤ周方向で隣り合う第２弾性連結板２２同士も互いに非接触となっている。さらに、タイヤ幅方向Ｈで隣り合う第１弾性連結板２１および第２弾性連結板２２同士も互いに非接触となっている。
なお、第１弾性連結板２１および第２弾性連結板２２それぞれの幅は互いに同等になっている。また、第１弾性連結板２１および第２弾性連結板２２それぞれの厚さも互いに同等になっている。
【００２９】
ここで、第１弾性連結板２１のうち、リング状体１３に連結された一端部２１ａは、外装体１２に連結された他端部２１ｂよりもタイヤ周方向の一方側に位置し、第２弾性連結板２２のうち、リング状体１３に連結された一端部２２ａは、外装体１２に連結された他端部２２ｂよりもタイヤ周方向の他方側に位置している。
また、１つの連結部材１５における第１弾性連結板２１および第２弾性連結板２２の各一端部２１ａ、２２ａは、リング状体１３の内周面において、タイヤ幅方向Ｈの位置を互いに異ならせて、タイヤ周方向における同一の位置に連結されている。
【００３０】
図示の例では、第１弾性連結板２１および第２弾性連結板２２それぞれにおいて、一端部２１ａ、２２ａと他端部２１ｂ、２２ｂとの間に位置する中間部分２１ｃ、２２ｃに、タイヤ周方向に湾曲する湾曲部２１ｄ〜２１ｆ、２２ｄ〜２２ｆが、このタイヤ１をタイヤ幅方向Ｈから見たタイヤ側面視で、当該連結板２１、２２が延びる方向に沿って複数形成されている。両連結板２１、２２それぞれにおいて、複数の湾曲部２１ｄ〜２１ｆ、２２ｄ〜２２ｆのうち、前述の延びる方向で互いに隣り合う各湾曲部２１ｄ〜２１ｆ、２２ｄ〜２２ｆの湾曲方向は、互いに逆向きになっている。
【００３１】
第１弾性連結板２１に形成された複数の湾曲部２１ｄ〜２１ｆは、タイヤ周方向の他方側に向けて突となるように湾曲した第１湾曲部２１ｄと、第１湾曲部２１ｄと一端部２１ａとの間に位置しかつタイヤ周方向の一方側に向けて突となるように湾曲した第２湾曲部２１ｅと、第１湾曲部２１ｄと他端部２１ｂとの間に位置しかつタイヤ周方向の一方側に向けて突となるように湾曲した第３湾曲部２１ｆと、を有している。
第２弾性連結板２２に形成された複数の湾曲部２２ｄ〜２２ｆは、タイヤ周方向の一方側に向けて突となるように湾曲した第１湾曲部２２ｄと、第１湾曲部２２ｄと一端部２２ａとの間に位置しかつタイヤ周方向の他方側に向けて突となるように湾曲した第２湾曲部２２ｅと、第１湾曲部２２ｄと他端部２２ｂとの間に位置しかつタイヤ周方向の他方側に向けて突となるように湾曲した第３湾曲部２２ｆと、を有している。
図示の例では、第１湾曲部２１ｄ、２２ｄは、第２湾曲部２１ｅ、２２ｅおよび第３湾曲部２１ｆ、２２ｆよりも、前記タイヤ側面視の曲率半径が大きくなっている。なお、第１湾曲部２１ｄ、２２ｄは、第１弾性連結板２１および第２弾性連結板２２の前記延びる方向における中央部に配置されている。
【００３２】
さらに、両弾性連結板２１、２２の各長さは互いに同等とされるとともに、両弾性連結板２１、２２の各他端部２１ｂ、２２ｂは、図４に示されるように、前記タイヤ側面視で、外装体１２の外周面において前記各一端部２１ａ、２２ａとタイヤ径方向で対向する位置から前記軸線Ｏを中心にタイヤ周方向における一方側および他方側にそれぞれ同じ角度（例えば２０°以上１３５°以下）ずつ離れた各位置に各別に連結されている。また、第１弾性連結板２１および第２弾性連結板２２それぞれの第１湾曲部２１ｄ、２２ｄ同士、第２湾曲部２１ｅ、２２ｅ同士、並びに第３湾曲部２１ｆ、２２ｆ同士は互いに、タイヤ周方向に突となる向きが逆で、かつ大きさが同等になっている。
【００３３】
これにより、各連結部材１５の前記タイヤ側面視の形状は、図４に示されるように、タイヤ径方向に沿って延在し、かつ両連結板２１、２２の各一端部２１ａ、２２ａを通る仮想線Ｌに対して線対称となっている。
また、両弾性連結板２１、２２それぞれにおいて、前述した延びる方向の中央部から前記一端部２１ａ、２２ａにわたる一端側部分は、該中央部から前記他端部２１ｂ、２２ｂにわたる他端側部分よりも厚さが大きくなっている。これにより、連結部材１５の重量の増大を抑えたり、連結部材１５の柔軟性を確保したりしながら、第１、第２弾性連結板２１、２２において大きな負荷がかかり易い一端側部分の強度を高めることができる。なお、これらの一端側部分と他端側部分とは段差なく滑らかに連なっている。
【００３４】
ここで本実施形態では、外装体１２、リング状体１３および複数の連結部材１５は、一体に形成されている。
さらに本実施形態では、外装体１２は、タイヤ幅方向Ｈの一方側に位置する一方側分割外装体２５と、タイヤ幅方向Ｈの他方側に位置する他方側分割外装体２６と、に分割されている。また、リング状体１３は、図１に示されるように、タイヤ幅方向Ｈの一方側に位置する一方側分割リング状体２３と、タイヤ幅方向Ｈの他方側に位置する他方側分割リング状体２４と、に分割されている。なお図示の例では、外装体１２およびリング状体１３はそれぞれ、タイヤ幅方向Ｈの中央部で分割されている。
【００３５】
そして、一方側分割外装体２５および一方側分割リング状体２３は、第１弾性連結板２１と一体に形成され、他方側分割外装体２６および他方側分割リング状体２４は、第２弾性連結板２２と一体に形成されている。
さらに本実施形態では、一方側分割外装体２５、一方側分割リング状体２３および第１弾性連結板２１、並びに他方側分割外装体２６、他方側分割リング状体２４および第２弾性連結板２２はそれぞれ、鋳造若しくは射出成形により一体に形成されている。
以下、一方側分割外装体２５、一方側分割リング状体２３および第１弾性連結板２１が一体に形成されたものを第１分割ケース体３１といい、他方側分割外装体２６、他方側分割リング状体２４および第２弾性連結板２２が一体に形成されたものを第２分割ケース体３２という。
【００３６】
ここで、射出成形としては、第１、第２分割ケース体３１、３２それぞれの全体を各別に同時に成形する一般的な方法であってもよいし、第１、第２分割ケース体３１、３２それぞれにおいて、一方側、他方側分割外装体２５、２６、一方側、他方側分割リング状体２３、２４、並びに第１、第２弾性連結板２１、２２のうちの一部をインサート品として残りを射出成形するインサート成形でもよいし、あるいはいわゆる二色成形等であってもよい。
また、第１、第２分割ケース体３１、３２それぞれにおいて、一方側、他方側分割外装体２５、２６と、一方側、他方側分割リング状体２３、２４と、第１、第２弾性連結板２１、２２と、は、互いに異なる材質で形成してもよいし、同一の材質で形成してもよい。なお、この材質としては、金属材料や樹脂材料等が挙げられるが、軽量化の観点から樹脂材料、特に熱可塑性樹脂が好ましい。
なお、第１、第２分割ケース体３１、３２それぞれの全体を各別に同時に射出成形する場合には、外装体１２に形成された複数の突条部１２ａをゲート部分としてもよい。
【００３７】
第１、第２分割ケース体３１、３２それぞれにおいて、第１、第２弾性連結板２１、２２のタイヤ幅方向Ｈの中央部と、リング状体１３のタイヤ幅方向Ｈの中央部と、外装体１２のタイヤ幅方向Ｈの中央部と、は互いに一致し、外装体１２は、リング状体１３よりも幅が小さく、かつ第１弾性連結板２１および第２弾性連結板２２の各幅と同等になっている。
【００３８】
そして、一方側分割リング状体２３、および他方側分割リング状体２４それぞれのタイヤ幅方向Ｈの端縁同士が、例えば溶着、融着若しくは接着等により連結されている。なおこれらのうち、溶着の場合には例えば熱板溶着等を採用してもよい。
また、一方側分割外装体２５、および他方側分割外装体２６それぞれのタイヤ幅方向Ｈの端縁同士は、タイヤ幅方向Ｈに離れている。これにより、取り付け体１１に外嵌される外装体１２の内周面にバリが生ずることが防止されている。
【００３９】
また、第１分割ケース体３１および第２分割ケース体３２は、これら３１、３２を前述のように連結する前の状態では、図３に示されるように互いに同形同大となっている。
そして、前述のように連結するに際し、各連結部材１５が前記タイヤ側面視で前述のように線対称となるように、第１分割ケース体３１および第２分割ケース体３２それぞれのタイヤ周方向の位置を合わせつつ、これらの両分割ケース体３１、３２のタイヤ幅方向Ｈの向きを互いに逆向きにした状態で、第１分割ケース体３１および第２分割ケース体３２の各リング状体１３のタイヤ幅方向Ｈの端縁同士を突き合わせて連結する。
【００４０】
トレッド部材１６は円筒状に形成され、リング状体１３の外周面側を全域にわたって一体に覆っており、図示の例では、トレッド部材１６の内周面は全域にわたって、リング状体１３の外周面に密接している。トレッド部材１６は、例えば、天然ゴムまたは／およびゴム組成物が加硫された加硫ゴム、あるいは熱可塑性材料等で形成されている。熱可塑性材料として、例えば熱可塑性エラストマー若しくは熱可塑性樹脂等が挙げられる。熱可塑性エラストマーとしては、例えばＪＩＳ  Ｋ６４１８に規定されるアミド系熱可塑性エラストマー（ＴＰＡ）、エステル系熱可塑性エラストマー（ＴＰＣ）、オレフィン系熱可塑性エラストマー（ＴＰＯ）、スチレン系熱可塑性エラストマー（ＴＰＳ）、ウレタン系熱可塑性エラストマー（ＴＰＵ）、熱可塑性ゴム架橋体（ＴＰＶ）、若しくはその他の熱可塑性エラストマー（ＴＰＺ）等が挙げられる。熱可塑性樹脂としては、例えばウレタン樹脂、オレフィン樹脂、塩化ビニル樹脂、若しくはポリアミド樹脂等が挙げられる。なお、耐摩耗性の観点ではトレッド部材１６を加硫ゴムで形成するのが好ましい。
【００４１】
また図５に示されるように、トレッド部材１６の外周面には、陸部４１を区画する溝部４２が形成されている。溝部４２は、タイヤ幅方向Ｈの一方側から他方側に向かうに従い漸次、タイヤ周方向の他方側から一方側に向けて延在するとともに、タイヤ周方向に間隔をあけて複数配置されている。
【００４２】
溝部４２におけるタイヤ幅方向Ｈの一方側の一端部４２ａは、トレッド部材１６におけるタイヤ幅方向Ｈの一方側の端縁に開口するとともに、溝部４２におけるタイヤ幅方向Ｈの他方側の他端部４２ｂは、トレッド部材１６におけるタイヤ幅方向Ｈの他方側の端縁に開口している。また、溝部４２の前記一端部４２ａは、当該溝部４２において該一端部４２ａと前記他端部４２ｂとの間に位置する中央部４２ｃに対してタイヤ周方向の他方側にずらされるとともに、溝部４２の前記他端部４２ｂは、溝部４２における中央部４２ｃに対してタイヤ周方向の一方側にずらされている。
そして、溝部４２における一端部４２ａと中央部４２ｃとの接続部（以下、第１接続部という）４２ｄは、これらの一端部４２ａおよび中央部４２ｃよりも幅狭になっており、溝部４２における他端部４２ｂと中央部４２ｃとの接続部（以下、第２接続部という）４２ｅは、これらの他端部４２ｂおよび中央部４２ｃよりも幅狭になっている。
【００４３】
溝部４２の一端部４２ａにおいて第１接続部４２ｄに接続される接続端４５ａは、該接続端４５ａを画成する壁面のうち、タイヤ周方向の一方側を向く側壁面が、タイヤ幅方向Ｈの一方側に向けて張り出すことで、第１接続部４２ｄに向かうに従い漸次、幅狭になっている。また、溝部４２の中央部４２ｃにおいて第１接続部４２ｄに接続される接続端４５ｂは、該接続端４５ｂを画成する壁面のうち、タイヤ周方向の他方側を向く側壁面が、タイヤ幅方向Ｈの他方側に向けて張り出すことにより、第１接続部４２ｄに向かうに従い漸次、幅狭になっている。
なお図示の例では、溝部４２の一端部４２ａを画成する壁面のうち、タイヤ周方向の一方側を向く側壁面は、当該非空気入りタイヤ１をタイヤ径方向の外側から見たタイヤ平面視において、タイヤ幅方向Ｈの他方側に向けて突となる曲線状をなしている。また、溝部４２の中央部４２ｃを画成する壁面のうち、タイヤ周方向の他方側を向く側壁面において、当該非空気入りタイヤ１のタイヤ幅方向Ｈの中央部（以下、タイヤ赤道部ＣＬという）よりもタイヤ幅方向Ｈの一方側に位置する一方側部分は、前記タイヤ平面視において、タイヤ幅方向Ｈの一方側に向けて突となる曲線状をなしている。
【００４４】
また、溝部４２の他端部４２ｂにおいて第２接続部４２ｅに接続される接続端４５ｃは、該接続端４５ｃを画成する壁面のうち、タイヤ周方向の他方側を向く側壁面が、タイヤ幅方向Ｈの他方側に向けて張り出すことで、第２接続部４２ｅに向かうに従い漸次、幅狭になっている。また、溝部４２の中央部４２ｃにおいて第２接続部４２ｅに接続される接続端４５ｄは、該接続端４５ｄを画成する壁面のうち、タイヤ周方向の一方側を向く側壁面が、タイヤ幅方向Ｈの一方側に向けて張り出すことにより、第２接続部４２ｅに向かうに従い漸次、幅狭になっている。
なお図示の例では、溝部４２の他端部４２ｂを画成する壁面のうち、タイヤ周方向の他方側を向く側壁面は、前記タイヤ平面視において、タイヤ幅方向Ｈの一方側に向けて突となる曲線状をなしている。また、溝部４２の中央部４２ｃを画成する壁面のうち、タイヤ周方向の一方側を向く側壁面において、タイヤ赤道部ＣＬよりもタイヤ幅方向Ｈの他方側に位置する他方側部分は、前記タイヤ平面視において、タイヤ幅方向Ｈの他方側に向けて突となる曲線状をなしている。
【００４５】
ここで、溝部４２のタイヤ幅方向Ｈの中央部４２ｃは、タイヤ赤道部ＣＬをタイヤ幅方向Ｈに横断しており、溝部４２は、前記タイヤ平面視において、タイヤ赤道部ＣＬ上の対称中心Ｃ１を基準として点対称をなしている。また、複数の溝部４２は互いに同形同大に形成され、タイヤ周方向に隣り合う溝部４２同士は、互いに非開口となっている。
そして、タイヤ周方向に隣り合う溝部４２同士では、タイヤ周方向の他方側に位置する溝部４２における中央部４２ｃを画成する壁面のうち、前記一方側部分と、タイヤ周方向の一方側に位置する溝部４２における一端部４２ａを画成する壁面のうち、タイヤ周方向の一方側を向く側壁面と、がタイヤ幅方向Ｈに隣り合っている。さらに、タイヤ周方向の他方側に位置する溝部４２における他端部４２ｂを画成する壁面のうち、タイヤ周方向の他方側を向く側壁面と、タイヤ周方向の一方側に位置する溝部４２における中央部４２ｃを画成する壁面のうち、前記他方側部分と、がタイヤ幅方向Ｈに隣り合っている。
【００４６】
そしてトレッド部材１６には、タイヤ周方向に隣り合う溝部４２同士の間に、前記陸部４１が区画されており、該陸部４１は、タイヤ周方向に隣り合う溝部４２同士のうち、一端部４２ａ同士の間に位置する一方側小陸部４１ａと、他端部４２ｂ同士の間に位置する他方側小陸部４１ｂと、中央部４２ｃ同士の間に位置する中央小陸部４１ｃと、を備えている。さらに、一方側小陸部４１ａと中央小陸部４１ｃとは、これらの両小陸部より幅狭の第１接続小陸部４１ｄにより接続されるとともに、他方側小陸部４１ｂと中央小陸部４１ｃとは、これらの両小陸部より幅狭の第２接続小陸部４１ｅにより接続されており、前記陸部４１は、これらの一方側小陸部４１ａ、他方側小陸部４１ｂ、中央小陸部４１ｃ、第１接続小陸部４１ｄおよび第２接続小陸部４１ｅが一体に連設されてなる。
【００４７】
ここでトレッド部材１６の外周面には、表面が外部に露出する被視認体４３が配設されている。被視認体４３は、タイヤ赤道部ＣＬ上に、タイヤ周方向の全長にわたって配設されている。図示の例では、被視認体４３が、トレッド部材１６の外周面にタイヤ周方向に複数配設されるとともに、タイヤ周方向に隣り合う被視認体４３同士のうち、タイヤ周方向の周端部同士が、タイヤ幅方向Ｈに互いにずらされてタイヤ周方向に互いに重複することにより、被視認体４３は、タイヤ周方向の全長にわたって連続的に配設されている。
なお被視認体４３は、前記タイヤ平面視においてタイヤ赤道部ＣＬに対して傾斜するようにタイヤ周方向に延在しており、被視認体４３のタイヤ周方向に沿った長さＬは、例えばトレッド部材１６のタイヤ周方向に沿った全長の約３５％以下などとなっていてもよい。
【００４８】
また本実施形態では、被視認体４３は、前記溝部４２を画成する壁面に配設されている。被視認体４３は、溝部４２を画成する壁面のうち、タイヤ径方向の外側を向く底壁面に配設されており、被視認体４３の表面は、タイヤ径方向の外側を向いている。なお図示の例では、被視認体４３は、溝部４２の中央部４２ｃにおける底壁面に配設されており、被視認体４３の外周縁は、前記タイヤ平面視において、溝部４２における中央部４２ｃの底壁面の内周縁に沿って延在している。
さらに被視認体４３は、溝部４２を画成する底壁面に形成されタイヤ径方向の外側（配置凹部の開口方向）に向けて開口する配置凹部４４内に配置されており、図示の例では、被視認体４３は、表面と反対の裏面が、配置凹部４４を画成する壁面のうち、タイヤ径方向の外側を向く図示しない底面に固着されるシート状に形成されている。そして被視認体４３は、前記タイヤ平面視（開口方向から見た正面視）において、配置凹部４４と同形同大に形成されており、被視認体４３の外周縁と配置凹部４４の内周縁とは、互いの全周にわたって当接している。
【００４９】
また被視認体４３は、配置凹部４４の前記底面に、例えば接着等により固着されており、被視認体４３の表面は、溝部４２の底壁面と面一となっている。なお接着には、例えば加硫接着や、接着剤による接着などを採用してもよく、この接着は、トレッド部材１６の加硫成形時に行ってもよく、トレッド部材１６と被視認体４３とを個別に形成した後に行ってもよい。
そして本実施形態では、被視認体４３の表面は、トレッド部材１６の外周面よりも反射輝度が高くなっている。
【００５０】
以上説明したように、本実施形態による非空気入りタイヤ１によれば、被視認体４３の表面が、トレッド部材１６の外周面よりも反射輝度が高いので、周囲からの視認性を向上させることができる。これにより、当該非空気入りタイヤ１が装着された車両の存在を周囲から認識させ易くすることが可能になり、例えば当該車両と周囲の歩行者や他の車両との接触を効果的に防止して良好な安全性を確保し易くすること等ができる。
またトレッド部材１６が、リング状体１３の外周面側にその全周にわたって配設されているので、該トレッド部材１６に配設される被視認体４３の表面積を確保し易くすることが可能になり、視認性を向上させ易くすることができる。
さらに連結部材１５が、取り付け体１１とリング状体１３とを相対的に弾性変位自在に連結するとともに、トレッド部材１６が、リング状体１３の外周面側に配設されており、トレッド部材１６が、取り付け体１１とリング状体１３との相対的な弾性変位に追従して変位しながら変形することから、トレッド部材１６の変形量が抑えられることとなる。これにより、被視認体４３をトレッド部材１６から離脱させ難くすることが可能になり、視認性を確実に向上させることができる。
【００５１】
また本実施形態では、トレッド部材１６の内周面が全域にわたって、リング状体１３の外周面に密接しているので、トレッド部材１６が、タイヤ径方向の内側からリング状体１３により支持されることとなり、走行時にトレッド部材１６がタイヤ幅方向Ｈに撓み変形するのを抑えることが可能になり、被視認体４３をトレッド部材１６から一層離脱させ難くすることができる。
【００５２】
なお、被視認体４３のタイヤ周方向に沿った長さＬが、トレッド部材１６のタイヤ周方向に沿った全長の３５％以下となっている場合には、走行時に被視認体４３がタイヤ周方向に撓み変形するのを抑えることが可能になり、被視認体４３をトレッド部材１６から一層離脱させ難くすることができる。ここで、被視認体４３のタイヤ周方向に沿った長さＬが、トレッド部材１６のタイヤ周方向に沿った全長の３５％よりも大きい場合には、被視認体４３がタイヤ周方向に撓み変形するのを抑えることが困難になるおそれがある。
さらに、当該非空気入りタイヤ１が、例えば前記小型車両のような低重量の車両に装着され低速度で走行する場合などには、走行時にトレッド部材１６が歪み変形し難いことから、被視認体４３をトレッド部材１６から一層離脱させ難くすることができる。
【００５３】
また、被視認体４３が、前記溝部４２を画成する壁面に配設されているので、走行時に被視認体４３を路面に接触させ難くすることが可能になり、被視認体４３をトレッド部材１６から一層離脱させ難くすることができる。
【００５４】
さらに、被視認体４３が、前記底壁面に配設されているので、被視認体４３を当該非空気入りタイヤ１の走行方向から視認させ易くすることが可能になり、周囲からの視認性を確実に向上させることができる。
ここで前記底壁面は、溝部４２の側壁面に比べて、走行時に歪み変形し難いことから、前述のように、被視認体４３が前記底壁面に配設されることにより、該被視認体４３をトレッド部材１６からより一層離脱させ難くすることができる。
【００５５】
また、被視認体４３が、前記配置凹部４４内に配置されているので、被視認体４３を配設することを起因として前記溝部４２の容積が減少するのを抑えることが可能になり、例えば当該非空気入りタイヤ１の排水性を確保し易くすること等ができる。
さらに、被視認体４３が、前記配置凹部４４と同形同大に形成されているので、例えば、溝部４２内を水が流動するときに、被視認体４３がその外周縁から水圧を受けるのを抑え易くすること等が可能になり、被視認体４３をトレッド部材１６からより一層離脱させ難くすることができる。
【００５６】
また、タイヤ周方向に隣り合う被視認体４３同士のうち、タイヤ周方向の周端部同士が、タイヤ幅方向Ｈに互いにずらされてタイヤ周方向に互いに重複しているので、トレッド部材１６の外周面に被視認体４３をタイヤ周方向に連続的に配置することが可能になり、視認性を一層確実に向上させることができる。
また、被視認体４３が、トレッド部材１６の外周面にタイヤ周方向に複数配設されているので、複数の被視認体４３のうちの一部が離脱した場合であっても、他の被視認体４３により視認性を確保し易くすることが可能になり、例えばこれらの複数の被視認体４３と同等の範囲にわたって、１つの被視認体がタイヤ周方向に連続して配設されている場合に比べて、視認性を確保し易くすることができる。
【００５７】
また本実施形態では、一方側分割外装体２５、一方側分割リング状体２３および第１弾性連結板２１が一体に形成された第１分割ケース体３１と、他方側分割外装体２６、他方側分割リング状体２４および第２弾性連結板２２が一体に形成された第２分割ケース体３２と、を備えているので、当該非空気入りタイヤ１の組み立てに際し、複数の連結部材１５それぞれの両端部２１ａ、２２ａ、２１ｂ、２２ｂを、取り付け体１１およびリング状体１３に各別に連結しなくても、第１、第２分割ケース体３１、３２を取り付け体１１に装着すれば足りるため、製造時間を短縮することができる。
【００５８】
また、第１、第２分割ケース体３１、３２を備えていることから、例えば、連結部材１５の両端部２１ａ、２２ａ、２１ｂ、２２ｂと取り付け体１１およびリング状体１３とを、締結部材等を用いて連結する場合と比べて重量を抑えることができる。
さらに、第１弾性連結板２１が、一のタイヤ幅方向Ｈの位置にタイヤ周方向に沿って複数配置されるとともに、第２弾性連結板２２が、他のタイヤ幅方向Ｈの位置にタイヤ周方向に沿って複数配置されているので、タイヤ周方向で隣り合う連結部材１５同士が干渉し合うのを抑えることが可能になり、その配設個数に制限が生ずるのを抑制することができる。
【００５９】
また、第１弾性連結板２１のうち、リング状体１３に連結された一端部２１ａが、外装体１２に連結された他端部２１ｂよりもタイヤ周方向の一方側に位置し、第２弾性連結板２２のうち、リング状体１３に連結された一端部２２ａが、外装体１２に連結された他端部２２ｂよりもタイヤ周方向の他方側に位置しているので、この非空気入りタイヤ１に外力が作用したときに、第１弾性連結板２１および第２弾性連結板２２を弾性変形させ易くすることが可能になり、この非空気入りタイヤ１に柔軟性を具備させて良好な乗り心地性を確保することができる。
【００６０】
さらに、第１分割ケース体３１および第２分割ケース体３２それぞれにおいて、リング状体１３と外装体１２との間には、第１弾性連結板２１および第２弾性連結板２２のうち、前記タイヤ側面視で、一定の方向に延びるいずれか一方だけが複数配設されていて、他の方向に延びる他方が配設されていないので、外装体１２、リング状体１３および連結部材１５を形成するに際し、まず、構造が簡素で容易に形成することができる第１、第２分割ケース体３１、３２を各別に形成することによって、外装体１２、リング状体１３および連結部材１５の全体が一体に形成されて構造が複雑なケース体を形成する場合と比べて、この非空気入りタイヤ１を容易かつ確実に形成することができる。
【００６１】
また、第１、第２分割ケース体３１、３２がそれぞれ、鋳造若しくは射出成形により一体に形成されているので、この非空気入りタイヤ１をより一層容易に形成することができる。
しかも、前述のように、各分割ケース体３１、３２において、リング状体１３と外装体１２との間には、両弾性連結板２１、２２のうちの一方だけが配設されていることから、各分割ケース体３１、３２を鋳造若しくは射出成形により一体に形成するに際し、溶湯や溶融樹脂を、型の内部の隅々にまで確実に到達させ易くすることが可能になるとともに、型の構造が複雑になるのを抑えることも可能になり、この非空気入りタイヤ１をより一層容易かつ確実に形成することができる。
【００６２】
また、連結部材１５が、前記タイヤ側面視で前記仮想線Ｌに対して線対称に形成されているので、この非空気入りタイヤ１におけるタイヤ周方向の一方側に沿うばね定数と他方側に沿うばね定数とで差が生ずるのを抑えることが可能になり、良好な操縦性を具備させることができる。
【００６３】
なお、本発明の技術的範囲は前記実施の形態に限定されるものではなく、本発明の趣旨を逸脱しない範囲において種々の変更を加えることが可能である。
【００６４】
例えば、前記実施形態では、被視認体４３は、溝部４２の中央部４２ｃにおける底壁面に配設されているものとしたが、これに限られるものではなく、溝部４２の一端部４２ａ、他端部４２ｂ、第１接続部４２ｄまたは第２接続部４２ｅにおける底壁面に配設されていてもよい。
【００６５】
また溝部４２は、前記実施形態に示したものに限られない。
例えば、前記実施形態では、溝部４２が、キー溝部１８ａが開口するタイヤ幅方向Ｈの一方側から、他方側に向かうに従い漸次、タイヤ周方向の他方側から一方側に向けて延在するものとしたが、これに限られるものではなく、例えば、溝部４２が、キー溝部１８ａが閉じられたタイヤ幅方向Ｈの他方側から、一方側に向かうに従い漸次、タイヤ周方向の他方側から一方側に向けて延在していてもよい。
【００６６】
さらに例えば、溝部を、図６に示されるように構成してもよい。図６に示される非空気入りタイヤ５０では、トレッド部材１６の外周面に、タイヤ赤道部ＣＬをタイヤ幅方向Ｈに横断し、タイヤ幅方向Ｈの一方側から他方側に向かうに従い漸次、タイヤ周方向の一方側から他方側に向けて延在する細溝（溝部）５１が、タイヤ周方向に間隔をあけて一対配設されている。これらの一対の細溝５１は、互いに同形同大に形成されている。図示の例では、細溝５１は、前記タイヤ平面視において直線状に延在するとともに、一対の細溝５１同士は、タイヤ幅方向Ｈの位置が互いにずらされており、一対の細溝５１のうち、タイヤ周方向の他方側に位置する細溝５１が、タイヤ周方向の一方側に位置する細溝５１に対して、タイヤ幅方向Ｈの一方側にずらされている。また、これらの一対の細溝５１は、前記タイヤ平面視において、タイヤ赤道部ＣＬ上の対称中心Ｃ２を基準として点対称となるように配置されている。なお一対の細溝５１は、タイヤ周方向に間隔をあけて複数配設されている。
【００６７】
さらにトレッド部材１６の外周面には、一対の細溝５１のうち、タイヤ周方向の他方側に位置する細溝５１に接続される第１排水溝（溝部）５２が配設されている。第１排水溝５２は、タイヤ周方向の他方側に位置する細溝５１において、タイヤ赤道部ＣＬ上に位置する部分から、タイヤ幅方向Ｈの一方側に向かうに従い漸次、タイヤ周方向の他方側に向けて延設されており、第１排水溝５２のタイヤ幅方向Ｈの一方側の端部は、トレッド部材１６におけるタイヤ幅方向Ｈの一方側の端縁に開口している。
また第１排水溝５２は、タイヤ幅方向Ｈの一方側に向かうに従い漸次、拡幅しており、第１排水溝５２を画成する壁面のうち、タイヤ周方向の一方側を向く側壁面、およびタイヤ周方向の他方側を向く側壁面はそれぞれ、前記タイヤ平面視において、タイヤ幅方向Ｈの他方側に向けて突となる曲線状をなしている。そしてこれらの両側壁面のうち、タイヤ周方向の一方側を向く側壁面には、当該第１排水溝５２が接続される細溝５１に対して、タイヤ周方向の他方側に位置する一対の細溝５１が各別に開口している。
【００６８】
さらにトレッド部材１６の外周面には、一対の細溝５１のうち、タイヤ周方向の一方側に位置する細溝５１に接続される第２排水溝（溝部）５３が配設されている。第２排水溝５３は、タイヤ周方向の一方側に位置する細溝５１において、タイヤ赤道部ＣＬ上に位置する部分から、タイヤ幅方向Ｈの他方側に向かうに従い漸次、タイヤ周方向の一方側に向けて延設されており、第２排水溝５３のタイヤ幅方向Ｈの他方側の端部は、トレッド部材１６におけるタイヤ幅方向Ｈの他方側の端縁に開口している。
また第２排水溝５３は、タイヤ幅方向Ｈの他方側に向かうに従い漸次、拡幅しており、第２排水溝５３を画成する壁面のうち、タイヤ周方向の他方側を向く側壁面、およびタイヤ周方向の一方側を向く側壁面はそれぞれ、前記タイヤ平面視において、タイヤ幅方向Ｈの一方側に向けて突となる曲線状をなしている。そしてこれらの両側壁面のうち、タイヤ周方向の他方側を向く側壁面には、当該第２排水溝５３が接続される細溝５１に対して、タイヤ周方向の一方側に位置する一対の細溝５１が各別に開口している。
【００６９】
なお図示の例では、第１排水溝５２および第２排水溝５３はそれぞれ、これらの両排水溝５２、５３がタイヤ幅方向Ｈに隣り合うように、タイヤ周方向に間隔をあけて複数配設されている。さらに、これらの両排水溝５２、５３は、前記タイヤ平面視において、前記対称中心Ｃ２を基準として点対称となるように配置されている。
【００７０】
そしてトレッド部材１６には、一対の細溝５１の間に区画された第１中央陸部５４と、タイヤ幅方向Ｈに隣り合う第１排水溝５２および第２排水溝５３の間に区画された第２中央陸部５５と、タイヤ周方向に隣り合う第１排水溝５２の間に区画された一方側陸部５６と、タイヤ周方向に隣り合う第２排水溝５３の間に区画された他方側陸部５７と、が配設されている。これらの第１中央陸部５４、第２中央陸部５５、一方側陸部５６および他方側陸部５７はそれぞれ、タイヤ周方向に間隔をあけて複数配設されており、これらのうち、第１中央陸部５４と第２中央陸部５５とは、タイヤ赤道部ＣＬ上に、タイヤ周方向に交互に配設されている。
【００７１】
なお第１中央陸部５４は、タイヤ幅方向Ｈの一方側から他方側に向けて漸次、タイヤ周方向の一方側から他方側に向けて延在しており、第１中央陸部５４の頂面は、当該第１中央陸部５４が延在する方向に沿って、当該第１中央陸部５４の中央から外側に向かうに従い漸次、タイヤ径方向の内側に向けて延在している。また第１中央陸部５４の頂面は、タイヤ径方向および当該第１中央陸部５４が延在する方向の両方向に沿った断面視において、タイヤ径方向の外側に向けて突となる曲線状をなしている。
また第２中央陸部５５は、タイヤ幅方向Ｈの他方側から一方側に向けて漸次、タイヤ周方向の一方側から他方側に向けて延在しており、第２中央陸部５５の頂面においてタイヤ赤道部ＣＬ上に位置する部分には、タイヤ幅方向Ｈの一方側から他方側に向けて漸次、タイヤ周方向の一方側から他方側に向けて延在する凹溝（溝部）５８が形成されている。
【００７２】
上記のような非空気入りタイヤ５０において、被視認体５９ａ、５９ｂは、トレッド部材１６の外周面にタイヤ周方向に間欠的に配設されている。図示の例では、前記被視認体５９ａ、５９ｂには、第１排水溝５２を画成する底壁面に配設された第１被視認体５９ａと、第２排水溝５３を画成する底壁面に配設された第２被視認体５９ｂと、が備えられている。前記タイヤ平面視において、第１被視認体５９ａの外周縁は、第１排水溝５２の底壁面の内周縁に沿って延在し、第２被視認体５９ｂの外周縁は、第２排水溝５３の底壁面の内周縁に沿って延在している。
第１被視認体５９ａおよび第２被視認体５９ｂはそれぞれ、これらの両被視認体５９ａ５９ｂがタイヤ幅方向Ｈに隣り合うように、タイヤ周方向に間隔をあけて複数配設されている。また被視認体５９ａ、５９ｂは、タイヤ周方向に隣り合うもの同士の間に、タイヤ周方向に間隔をあけて配設されることにより、タイヤ周方向に間欠的に配設されている。
【００７３】
なお本実施形態では、第１被視認体５９ａおよび第２被視認体５９ｂが備えられているものとしたが、第１被視認体５９ａのみが備えられていて第２被視認体５９ｂが備えられていなかったり、第２被視認体５９ｂのみが備えられていて第１被視認体５９ａが備えられていなかったりしてもよい。また被視認体５９ａ、５９ｂが、第１排水溝５２および第２排水溝５３とは異なる溝部である一対の細溝５１または凹溝５８の底壁面に配設されていてもよい。
【００７４】
さらに前記各実施形態では、被視認体４３、５９ａ、５９ｂは、溝部４２、５１、５２、５３、５８の底壁面に配設されているものとしたが、これに限られるものではなく、例えば溝部４２、５１、５２、５３、５８の側壁面に配設されていてもよい。
また前記各実施形態では、被視認体４３、５９ａ、５９ｂが、前記タイヤ平面視において配置凹部４４と同形同大のシート状に形成されているものとしたが、配置凹部４４内に配置される他の構成に適宜変更してもよく、例えば、被視認体４３、５９ａ、５９ｂを、前記タイヤ平面視において配置凹部４４よりも小さく形成してもよく、さらに、シート状に形成しなくてもよい。また配置凹部は、溝部４２、５１、５２、５３、５８の側壁面に形成されていてもよく、さらに、前記配置凹部４４はなくてもよく、被視認体４３、５９ａ、５９ｂが、溝部４２、５１、５２、５３、５８を画成する壁面に直接、例えば接着などにより固着されていてもよい。
【００７５】
また、溝部４２、５１、５２、５３、５８は前記各実施形態に示したものに限られず、適宜変更してもよい。
さらに前記各実施形態では、被視認体４３、５９ａ、５９ｂは、溝部４２、５１、５２、５３、５８を画成する壁面に配設されているものとしたが、これに限られるものではなく、例えば陸部４１、５４、５５、５６、５７の頂面に配設されていてもよい。さらに被視認体４３、５９ａ、５９ｂは、１つでもよい。
【００７６】
また、第１弾性連結板２１における湾曲部２１ｄ〜２１ｆの湾曲方向、および第２弾性連結板２２における湾曲部２２ｄ〜２２ｆの湾曲方向は、前記各実施形態に限らず適宜変更してもよい。
また、前記各実施形態では、連結部材１５として第１弾性連結板２１および第２弾性連結板２２をそれぞれ１つずつ備えた構成を示したが、これに代えて、１つの連結部材１５に第１弾性連結板２１および第２弾性連結板２２がそれぞれ複数ずつ、互いのタイヤ幅方向Ｈの位置を異ならせて備えられた構成を採用してもよい。
また、連結部材１５を、外装体１２とリング状体１３との間にタイヤ幅方向Ｈに沿って複数設けてもよい。
【００７７】
また、第１弾性連結板２１および第２弾性連結板２２それぞれの他端部２１ｂ、２２ｂは、前記各実施形態に代えて例えば、外装体１２の外周面において前記軸線Ｏをタイヤ径方向で挟んで互いに反対となる各位置に各別に連結してもよいし、あるいは、外装体１２の外周面において、第１弾性連結板２１および第２弾性連結板２２の各一端部２１ａ、２２ａにタイヤ径方向で対向する位置等に連結してもよい。
また、前記各実施形態に代えて、両連結板２１、２２の各一端部２１ａ、２２ａを、リング状体１３の内周面にタイヤ周方向位置を互いに異ならせて連結してもよい。
【００７８】
さらに、一方側分割外装体２５と、他方側分割外装体２６と、の間にタイヤ幅方向Ｈの隙間を設けなくてもよい。
また、外装体１２およびリング状体１３をタイヤ幅方向Ｈに３個以上分割してもよいし、分割しなくてもよい。
さらに、第１、第２分割ケース体３１、３２は、前記各実施形態に限らず例えば、切削加工等で形成してもよい。
【００７９】
また前記各実施形態では、外装体１２、リング状体１３および複数の連結部材１５は、一体に形成されているものとしたが、これに限られるものではなく、それぞれを個別に形成した後、互いに連結されてもよい。さらに、外装体１２が、取り付け体１１と一体に形成されていてもよい。
また前記各実施形態では、連結部材１５は、外装体１２の外周面とリング状体１３の内周面とを互いに連結するものとしたが、取り付け体１１の外周面側とリング状体１３の内周面側とを連結する他の構成に適宜変更してもよい。例えば、外装体１２を備えない構成において、連結部材１５が、取り付け体１１の外周面とリング状体１３の内周面とを互いに連結してもよい。
【００８０】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００８１】
１、５０  非空気入りタイヤ
１１  取り付け体
１３  リング状体
１５  連結部材
１６  トレッド部材
４２、５１、５２、５３、５８  溝部
４３、５９ａ、５９ｂ  被視認体
４４  配置凹部
【図１】
0005789498.tif 000002
【図２】
0005789498.tif 000003
【図３】
0005789498.tif 000004
【図４】
0005789498.tif 000005
【図５】
0005789498.tif 000006
【図６】
0005789498.tif 000007